(57)【要約】【課題】  各波長のレーザ光に対応する記録層の再生を円滑に行い得る光ディスク装置およびハイブリッド型光ディスクを提供する。【解決手段】  装着されたディスクがハイブリッド型次世代ＤＶＤであると判別されると、赤色レーザ光にてＤＶＤ層が再生される（Ｓ１０２、Ｓ１０３）。かかる再生処理に並行して、ＨＤＤＶＤ層が存在することを通知するための処理が行われる（Ｓ１２０、Ｓ１２１）。すなわち、予め規定された通知タイミングに到達したかが判別される（Ｓ１２０）。そして、通知タイミングに到達したとき（Ｓ１２０：Ｙ）、コントローラ１０６からＡＶ処理回路１０８に制御指令が出力され、ＡＶ処理回路１０８から、ＨＤＤＶＤ層が存在することを通知するための画像を含む画像情報が表示装置２００に出力される。これにより、ユーザにＨＤＤＶＤ層が存在することが通知される。【選択図】    図４
2007004950.tif 000002
【特許請求の範囲】
【請求項１】
異なる波長のレーザ光に対応する複数の記録層を有する光ディスクを再生可能な光ディスク装置において、
装着されたディスクに異なる波長のレーザ光に対応する記録層が配されているかを判別する判別手段と、
前記判別手段にて異なる波長のレーザ光に対応する記録層が配されていると判別されたときその旨をユーザに通知する通知手段と、
ユーザからの指令入力に応じて再生対象の記録層を一の波長に対応する記録層から他の波長に対応する記録層に変更する変更手段と、
を有することを特徴とする光ディスク装置。
【請求項２】
請求項１に記載の光ディスク装置おいて、
前記通知手段は、前記判別手段にて異なる波長のレーザ光に対応する記録層が配されていると判別されたことに応じて、何れの波長に対応する記録層を再生するかを選択するための選択メニューを画面上に表示させる、
ことを特徴とする光ディスク装置。
【請求項３】
請求項２に記載の光ディスク装置おいて、
前記選択メニューの表示時に、装着されたディスクのリードイン情報を読み取ってメモリに記憶する、
ことを特徴とする光ディスク装置。
【請求項４】
請求項１に記載の光ディスク装置において、
前記通知手段は、予め決められた通知タイミングの到来を監視し、該通知タイミングに達したときに、現在再生中の記録層以外に、他の波長に対応する記録層が存在することを通知する画像および／もしくは音声を出力する、
ことを特徴とする光ディスク装置。
【請求項５】
異なる波長のレーザ光に対応する記録層を有するとともに、各記録層に画像情報が記録され、少なくとも一つの記録層の画像情報に、他の波長に対応する記録層が存在することを通知するための表示が重ね合わされた画像情報が含まれている、
ことを特徴とするハイブリッド型光ディスク。
【発明の詳細な説明】
【技術分野】
【０００１】
本発明は、光ディスク装置およびハイブリッド型光ディスクに関し、例えば、赤色波長のレーザ光に対応する記録層と青色波長のレーザ光に対応する記録層が積層方向に配されたハイブリッド型光ディスクおよびそのドライブ装置に用いて好適なものである。
【背景技術】
【０００２】
現在、波長４０５ｎｍ程度の青色レーザ光を用いた次世代ＤＶＤ（Digital Versatile Disc）の規格化が進められている。かかる規格化においては、青色レーザ光に対応する記録層（以下、「ＨＤＤＶＤ層」という）と、赤色レーザ光に対応する記録層（以下、「ＤＶＤ層」という）の２つの記録層を積層方向に配することが検討されている。
【０００３】
かかる次世代ＤＶＤ（以下、「ハイブリッド型次世代ＤＶＤ」という）では、ＤＶＤ層がレーザ光入射側から見て手前に配置される。また、ＤＶＤ層には、既存のＤＶＤと同一のフォーマットがそのまま適用される。このＤＶＤ層には、さらにその奥にＨＤＤＶＤ層が存在することを示す情報は保持されない。したがって、ＤＶＤ層に引き込み処理が行われると、当該ディスクはあたかも、単一の記録層を有するＤＶＤとして取り扱われることとなる。
【０００４】
以下の特許文献１には、２つの記録層を有する光ディスクとそのドライブ装置が紹介されている。
【特許文献３】特開２００３−３４６３４８号公報
【発明の開示】
【発明が解決しようとする課題】
【０００５】
通常、ドライブ装置は、光ピックアップ側から見て最初に位置する記録層に引き込み処理を行うよう設計される。このとき、この記録層からリードイン情報を読み取ることができれば、この記録層に対する再生処理が行われる。ここで、リードイン情報には、Book Type、Disc Structure、Layer Type、Track Density等が含まれている。このため、この種のドライブ装置にハイブリッド型次世代ＤＶＤが装着されると、光ピックアップ側にあるＤＶＤ層に対する再生が行われることとなる。しかし、上記の如く、ＤＶＤ層には、ＨＤＤＶＤ層が存在することを示す情報が保持されていない。このため、ドライブ装置側では、恰も、シングルレイヤータイプのＤＶＤが装着されたと同様の再生処理が行われる。この場合、ユーザは、ＨＤＤＶＤ層の存在を知ることができない。よって、高容量のコンテンツを提供可能なＨＤＤＶＤ層が存在するにも拘わらず、その再生が見過ごされてしまう可能性がある。
【０００６】
そこで、本発明は、このような問題を回避し、各波長のレーザ光に対応する記録層の再生を円滑に行い得る光ディスク装置およびハイブリッド型光ディスクを提供することを課題とする。
【課題を解決するための手段】
【０００７】
上記課題に鑑み本発明は、それぞれ以下の特徴を有する。
【０００８】
請求項１の発明は、異なる波長のレーザ光に対応する複数の記録層を有する光ディスクを再生可能な光ディスク装置において、装着されたディスクに異なる波長のレーザ光に対応する記録層が配されているかを判別する判別手段と、前記判別手段にて異なる波長のレーザ光に対応する記録層が配されていると判別されたときその旨をユーザに通知する通知手段と、ユーザからの指令入力に応じて再生対象の記録層を一の波長に対応する記録層から他の波長に対応する記録層に変更する変更手段とを有することを特徴とする。
【０００９】
請求項２の発明は、請求項１に記載の光ディスク装置おいて、前記通知手段は、前記判別手段にて異なる波長のレーザ光に対応する記録層が配されていると判別されたことに応じて、何れの波長に対応する記録層を再生するかを選択するための選択メニューを画面上に表示させることを特徴とする。
【００１０】
請求項３の発明は、請求項２に記載の光ディスク装置おいて、前記選択メニューの表示時に、装着されたディスクのリードイン情報を読み取ってメモリに記憶することを特徴とする。
【００１１】
請求項４の発明は、請求項１に記載の光ディスク装置において、前記通知手段は、予め決められた通知タイミングの到来を監視し、該通知タイミングに達したときに、現在再生中の記録層以外に、他の波長に対応する記録層が存在することを通知する画像および／もしくは音声を出力することを特徴とする。
【００１２】
請求項５の発明は、異なる波長のレーザ光に対応する記録層を有するとともに、各記録層に画像情報が記録され、少なくとも一つの記録層の画像情報に、他の波長に対応する記録層が存在することを通知するための表示が重ね合わされた画像情報が含まれていることを特徴とするハイブリッド型光ディスクである。
【００１３】
なお、以下に示す実施の形態には、判別手段の具体例として、フォーカスエラー信号のＳカーブの個数とそのピーク間隔をもとにハイブリッド型次世代ＤＶＤと判別する構成が示されている。
【００１４】
また、以下に示す実施形態では、上記各手段における処理は、主として、コントローラ１０６にて実現される。
【発明の効果】
【００１５】
本発明によれば、判別手段にて異なる波長のレーザ光に対応する記録層が配されていると判別されたとき、その旨がユーザに通知される。よって、他の波長のレーザ光に対応する記録層が存在するにも拘わらず、その再生が見過ごされてしまうことはない。
【００１６】
このとき、前記通知は、請求項２に記載のように、選択メニューを表示することにより行われる。こうすると、ユーザが自分の意思のもとに再生したい記録層を選択することが可能となり、ユーザにおける選択の自由度を高めることができる。また、請求項３のように、選択メニュー表示時の待機時間を利用してリードイン情報を取得するようにすれば、処理の円滑化を図ることができる。
【００１７】
この他、前記通知は、請求項４に記載のように、予め決められた通知タイミングにて行うようにすることもできる。
【００１８】
なお、請求項５の発明によれば、一つの記録層を再生すると、その再生画像上に、他の波長に対応する記録層が存在することの通知が重ね表示される。これにより、ユーザは、他の波長に対応する記録層の存在を知ることができ、適宜、当該他の記録層に対する再生指令を入力することができる。
【００１９】
本発明の効果ないし意義は、以下に示す実施の形態の説明により更に明らかとなろう。ただし、以下の実施形態は、あくまでも、一つの例示であって、本発明ないし各構成要件の用語の意義は、以下の実施の形態に制限されるものではない。
【発明を実施するための最良の形態】
【００２０】
以下、本発明の実施の形態につき図面を参照して説明する。
【００２１】
なお、本実施の形態では、次世代ＤＶＤ（シングルレイヤー、ＨＤＤＶＤ層片面マルチレイヤー、ＨＤＤＶＤ層／ＤＶＤ層片面ハイブリッド）と、ＤＶＤ（シングルレイヤー、ＤＶＤ層片面マルチレイヤー）を互換再生可能な光ディスク装置が例示されている。
【００２２】
図１に、ハイブリッド型の次世代ＤＶＤの構造を示す。
【００２３】
ハイブリッド型次世代ＤＶＤ１は、片面にＨＤＤＶＤ層１２が形成された基板１１と、片面にＤＶＤ層１４が形成された基板１３を、接着層１５によって貼り合わせ、さらに基板１１の反対側の面に印刷層１６を形成した構造となっている。レーザ光は、基板１３側から入射される。記録可能タイプの場合、ＨＤＤＶＤ層１２とＤＶＤ層１４には螺旋状のトラックが形成されている。再生専用タイプの場合、螺旋状にピットが配列されている。
【００２４】
ＤＶＤ層１４のデータフォーマットは既存ＤＶＤのデータフォーマットと同一である。ＤＶＤ層１４のリードイン情報には、ＨＤＤＶＤ層１２が存在することを示す情報は含まれていない。なお、ＤＶＤ層１４は、波長４０５ｎｍ程度の青色レーザ光と波長６５５ｎｍ程度の赤色レーザ光をそれぞれ規定された割合にて透過および反射する。特に、波長６５５ｎｍ付近で反射率が高く、波長４０５ｎｍ付近で低反射となる材料が望ましい。
【００２５】
ＨＤＤＶＤ層１２には、次世代ＤＶＤ規格に従うデータフォーマットが適用されている。ＨＤＤＶＤ層１２にも、リードイン情報が保持されている。ＨＤＤＶＤ層１４は、青色レーザ光を規定された反射率にて反射するが、赤色レーザ光に対する反射率はこれに比べて極めて低くなる材料にて形成されている。
【００２６】
このように、ハイブリッド型の次世代ＤＶＤには、ＤＶＤ層に対応するリードイン情報と、ＨＤＤＶＤ層に対応するリードイン情報の２種類のリードイン情報が保持されている。
【００２７】
なお、ＤＶＤ層が片面に２層配されたマルチレイヤータイプのＤＶＤは、図１の構成において、ＨＤＤＶＤ層１２がＤＶＤ層に置き換わった構成となっている。この場合、ピックアップに近い方のＤＶＤ層のリードイン情報には、ＤＶＤ層が２つ存在することを示す情報が含まれている。
【００２８】
また、ＨＤＤＶＤ層が片面に２層配されたマルチレイヤータイプの次世代ＤＶＤは、図１の構成において、ＤＶＤ層１４がＨＤＤＶＤ層に置き換わった構成となっている。この場合も、ピックアップに近い方のＨＤＤＶＤ層のリードイン情報に、ＨＤＤＶＤ層が２つ存在することを示す情報が含まれている。
【００２９】
ＤＶＤ層が２層のディスクやＨＤＤＶＤ層が２層のディスクでは、リードイン情報はピックアップに近い方にのみ存在し、１種類のリードイン情報しか準備されていない。
【００３０】
図２（ａ）は、ＤＶＤ層またはＨＤＤＶＤ層を片面に２層有するマルチレイヤータイプのＤＶＤまたは次世代ＤＶＤに赤色レーザ光を照射してフォーカスサーチを行ったときのフォーカスエラー信号上のＳカーブを模式的に例示するものである。
【００３１】
図２（ｂ）は、ハイブリッド型次世代ＤＶＤに赤色レーザ光を照射してフォーカスサーチを行ったときのフォーカスエラー信号上のＳカーブを模式的に例示するものである。
【００３２】
シングルレイヤータイプのＤＶＤ、次世代ＤＶＤに赤色レーザ光を照射してフォーカスサーチを行った場合は、フォーカスエラー信号上に、記録層によるＳカーブが現れる。この場合、このＳカーブの他にも、基板表面によるＳカーブが現れるが、このＳカーブのピーク間隔は図２（ｂ）のピーク間隔ＰＰ２に比べ十分に小さいため、記録層によるＳカーブを検出するための限界値を適宜設定することにより、このＳカーブを記録層によるものとして誤検出することを回避することができる。これらのフォーカスエラー信号のＳカーブの違い等から、プレーヤはディスク構成の判別を行い、ディスク構成に応じた設定でドライブを駆動してリードイン情報を取得する。
【００３３】
図３に、光ディスク装置の構成を示す。なお、同図には、再生系に関するブロックのみが示されている。
【００３４】
光ディスク装置は、光ピックアップ１０１と、信号生成回路１０２と、サーボ回路１０３と、レーザ駆動回路１０４と、復調回路１０５と、コントローラ１０６と、スピンドルモータ１０７と、ＡＶ処理回路１０８を備えている。
【００３５】
光ピックアップ１０１は、波長４０５ｎｍ程度の青色レーザ光と、波長６５５ｎｍ程度の赤色レーザ光を出射する半導体レーザが配備されている。さらに、これらレーザ光をディスク上に収束するための対物レンズと、対物レンズをフォーカス方向およびトラッキング方向に駆動する対物レンズアクチュエータと、ディスクからの反射光を受光する光検出器と、半導体レーザから出射される各レーザ光を対物レンズに導くとともにディスクからの反射光を光検出器に導く光学系を備えている。
【００３６】
信号生成回路１０２は、光ピックアップ１０１に配された光検出器からの信号を演算処理してＲＦ信号、フォーカスエラー信号、トラッキングエラー信号等の各種信号を生成し、これらを対応する回路に出力する。
【００３７】
サーボ回路１０３は、信号生成回路１０２から入力された信号をもとに、フォーカスサーボ信号およびトラッキングサーボ信号を生成し、光ピックアップ１０１の対物レンズアクチュエータに出力する。また、信号生成回路１０２から入力された信号をもとにモータサーボ信号を生成しスピンドルモータ１０７に出力する。
【００３８】
レーザ駆動回路１０４は、コントローラ１０６から入力される制御信号をもとに、光ピックアップ１０１内の半導体レーザに駆動信号を出力する。かかる制御により、青色レーザ光および赤色レーザ光の発光が適宜切り替えられる。
【００３９】
復調回路１０５は、信号生成回路１０２から入力されたＲＦ信号を復調して再生データを生成しＡＶ処理回路１０８に出力する。復調回路１０５は、次世代ＤＶＤデータフォーマットに従ってデータ復調を行う復調部（ＨＤＤＶＤデコーダ部）と、ＤＶＤデータフォーマットに従ってデータ復調を行う復調部（ＤＶＤデコーダ部）を備えている。何れの復調部を用いるかは、コントローラ１０６からの制御信号をもとに設定される。また、各復調部における復調の可否とリードイン情報等のサブ情報が、復調回路１０５からコントローラ１０６に出力される。
【００４０】
コントローラ１０６は、内蔵メモリに各種データを格納するとともに、あらかじめ設定されたプログラムに従って各部を制御する。コントローラ１０６には、ディスク判別処理時に、信号生成回路１０２から、フォーカスエラー信号が入力される。コントローラ１０６は、この信号をもとに、ディスク判別を行う。
【００４１】
ＡＶ処理回路１０８は、復調回路１０５から入力される再生データを処理して映像情報および音声情報を取得する。このうち、映像情報は、コントローラ１０６からの制御指示に従ってテレビ等の表示装置２００に出力される。音声情報は、コントローラ１０６からの制御指示に従ってスピーカ等（図示せず）に出力される。この他、コントローラ１０６からの信号に応じて、適宜、所定の画面あるいは音声を出力するための情報がＡＶ処理回路１０８から出力される。ＡＶ処理回路１０８は、かかる出力を行うための情報を予め保持している。
【００４２】
図４に、ディスク再生時の処理フローチャートを示す。
【００４３】
ディスクが装着されると、まず、ディスク判別処理が行われる（Ｓ１０１）。かかるディスク判別は、種々の手法を用いて行うことができる。たとえば、各記録層の情報をレーザ光と復調部を切り替えながら実際に復調し、復調の可否をもとにディスク判別を行うようにすることもできる。
【００４４】
本実施の形態では、図２に示すフォーカスエラー信号上のＳカーブをもとにディスク判別が行われる。すなわち、赤色レーザ光が点灯された後、当該ディスクに対するフォーカスサーチが行われる。そして、フォーカスエラー信号上に現れるＳカーブの個数をもとに、シングルレイヤータイプかマルチレイヤータイプかが判別される。マルチレイヤータイプの場合は、最も大きなＳカーブのピーク間隔ＰＰ１と次に大きなＳカーブのピーク間隔ＰＰ２の比（Ｒ＝ＰＰ２／ＰＰ１）が算出される。そして、このピーク比Ｒが閾値以上であればＤＶＤ層またはＨＤＤＶＤ層が複数配されたマルチレイヤーディスクと判別される。一方、ピーク比Ｒが一定以上の大きさを持ち且つ閾値未満であれば、ＤＶＤ層とＨＤＤＶＤ層が配されたハイブリッド型次世代ＤＶＤと判別される。
【００４５】
なお、ＤＶＤ層またはＨＤＤＶＤ層が複数配されたマルチレイヤーディスクと判別された場合には、光ピックアップ側から見て最初に位置する記録層が赤色レーザ光にて読み取られる。そして、読み取られた信号が復調回路１０５のＤＶＤデコーダ部にて復調され、復調可能であれば、ＤＶＤ層が複数配されたマルチレイヤーディスクと判別される。復調不可であれば、ＨＤＤＶＤ層が複数配されたマルチレイヤーディスクと判別される。
【００４６】
また、フォーカスエラー信号上に現れるＳカーブの個数からシングルレイヤータイプと判別された場合には、当該記録層が赤色レーザ光にて読み取られる。そして、読み取られた信号が復調回路１０５のＤＶＤデコーダ部にて復調され、復調可能であれば、ＤＶＤ層が１層配されたシングルレイヤーディスクと判別される。復調不可であれば、ＨＤＤＶＤ層が１層配されたシングルレイヤーディスクと判別される。
【００４７】
Ｓ１０１における判別結果がハイブリッド型次世代ＤＶＤでない場合、判別結果に対応するディスクモードにて再生が行われる（Ｓ１１０）。
【００４８】
Ｓ１０１における判別結果がハイブリッド型次世代ＤＶＤである場合は、赤色レーザが点灯され（Ｓ１０２）、光ピックアップ側から見て最初に位置するＤＶＤ層に対する再生が行われる（Ｓ１０２）。なお、Ｓ１０１おけるディスク判別が上記の如くして行われる場合は、Ｓ１０２はスキップされる。すなわち、Ｓ１０１における処理の際に既に赤色レーザが点灯されているため、この点灯をそのまま維持してＳ１０３における再生が行われる。
【００４９】
Ｓ１０１における判別結果がハイブリッド型次世代ＤＶＤである場合は、かかる再生処理に並行して、ＨＤＤＶＤ層が存在することを通知するための処理が行われる（Ｓ１２０、Ｓ１２１）。すなわち、予め規定された通知タイミングに到達したかが判別される（Ｓ１２０）。そして、通知タイミングに到達したとき（Ｓ１２０：Ｙ）、コントローラ１０６からＡＶ処理回路１０８に制御指令が出力され、ＡＶ処理回路１０８から、ＨＤＤＶＤ層が存在することを通知するための画像を含む画像情報が表示装置２００に出力される。これにより、ユーザにＨＤＤＶＤ層が存在することが通知される。なお、かかる通知は、画像の他、音声によって出力されるようにしても良い。また、音声のみによって出力するようにしても良い。
【００５０】
Ｓ１０３にてＤＶＤ層の再生が行われているときに、ユーザからＨＤＤＶＤ層の再生指令が入力されると（Ｓ１０４：Ｙ）、点灯レーザが青色レーザに切り替えられ（Ｓ１０５）、ＨＤＤＶＤ層に対する再生が行われる（Ｓ１０６）。この再生は、再度、ユーザから、ＤＶＤ層の再生を行う旨の指令が入力されるまで継続される。ユーザからＤＶＤ層の再生を行う旨の指令が入力されると（Ｓ１０７：Ｙ）、点灯レーザが赤色レーザに切り替えられ（Ｓ１０２）、ＤＶＤ層に対する再生が行われる（Ｓ１０３）。以下、上記と同様の処理が実行される。
【００５１】
なお、Ｓ１２０における通知タイミングは、たとえば、ＤＶＤ層の再生初期に行われる、チャプターや再生言語等を選択するためのメニュー画面の表示タイミングとすることができる。または、ＤＶＤ層の再生後、一定時間経過時、あるいは、一定時間経過毎とすることもできる。ただし、ＨＤＤＶＤ層の存在は、なるべく早期に、ユーザに通知する方が良い。
【００５２】
なお、図４のフローチャートでは、通知タイミングに到達したかを監視し、当該タイミングに到達したときに、ＨＤＤＶＤ層の通知画像を再生画像上に重ね表示するようにしたが、ＤＶＤ層に記録された画像情報（コンテンツ情報）に、予め、ＨＤＤＶＤ層が存在することを通知するための画像を含めておくようにすることもできる。たとえば、一連のコンテンツ情報のうち、再生初期のコンテンツ情報に当該通知を行うための画像を含めておく。こうすれば、当該コンテンツ情報が再生されることによりＨＤＤＶＤ層の通知画像が重ねて表示される。これにより、ユーザに、ＨＤＤＶＤ層の存在が通知される。この場合、特に、図４のＳ１２０、Ｓ１２１における処理を行う必要はない。
【００５３】
あるいは、ＨＤＤＶＤ層のコンテンツ情報がＤＶＤ層のコンテンツ情報に関連するものであるような場合には、ＤＶＤ層のコンテンツ情報のうち、ＨＤＤＶＤ層のコンテンツ情報に関連するものに、ＨＤＤＶＤ層の通知画像を含めるようにすることもできる。たとえば、ＤＶＤ層のコンテンツプログラム中に登場する登場人物や乗り物等のプロモーションビデオ情報がＨＤＤＶＤ層に記録されているような場合には、この登場人物や乗り物を表示する画像のコンテンツ情報に、ＨＤＤＶＤ層の通知画像を含めておく。この場合、ＤＶＤ層の再生時に、たとえば、図５のような画像が表示される。こうすると、ユーザは、見たいときにＨＤＤＶＤ層の再生を行うことができ、ユーザの嗜好性を高めることができる。
【００５４】
ところで、上記では、まず、ＤＶＤ層を優先的に再生し、その後、適宜、ＨＤＤＶＤ層の通知画面を表示させるようにしたが、ハイブリッド型次世代ＤＶＤであると判別したときに、コンテンツ再生に先立って、ＤＶＤ層とＨＤＤＶＤ層の何れを選択するかをユーザに問い合わせるようにすることもできる。このようにすることで、コンテンツ提供者は、ハイビジョン映像（ＨＤＤＶＤ）とそうでない映像（ＤＶＤ）とを効果的に組み合わせてより質の高いコンテンツを提供することができる。
【００５５】
図６は、この場合の処理フローチャートを示すものである。
【００５６】
ディスクが装着されると、まず、上記と同様、ディスク判別処理が行われる（Ｓ２０１）。ここで、判別結果がハイブリッド型次世代ＤＶＤでない場合には、判別結果に対応するディスクモードにて再生が行われる（Ｓ２３０）。一方、判別結果がハイブリッド型次世代ＤＶＤである場合は、ＤＶＤ層とＨＤＤＶＤ層の何れを再生するかをユーザに問い合わせるための画像情報（選択メニュー）がＡＶ処理回路１０８から表示装置２００に出力される（Ｓ２０２）。
【００５７】
かかる表示が行われた後、ユーザによる選択指示が行われるまでの待機時間を利用して、ＤＶＤ層およびＨＤＤＶＤ層に対するリードイン情報の取得処理が行われる（Ｓ２０３）。すなわち、対応する波長のレーザ光が発光され、各層に対するリードイン情報の読み出しが行われる。このとき、復調回路１０５の復調部（ＨＤＤＶＤデコーダ部／ＤＶＤデコーダ部）は、適宜、再生対象の記録層に対応するものに設定される。そして、読み取られたリードイン情報がコントローラ１０６の内蔵メモリに格納される。
【００５８】
Ｓ２０２にて選択メニューが表示された後、ユーザから、ＤＶＤ層の選択指示が入力されると（Ｓ２０４：ＤＶＤ）、赤色レーザ光が点灯され（Ｓ２０５）、ＤＶＤ層の再生が行われる（Ｓ２０６）。このとき、ユーザからＨＤＤＶＤ層の再生指令が入力されると（Ｓ２０７：Ｙ）、点灯レーザが青色レーザに切り替えられ（Ｓ２０８）、ＨＤＤＶＤ層に対する再生が行われる（Ｓ２０９）。この再生は、再度、ユーザから、ＤＶＤ層の再生を行う旨の指令が入力されるまで継続される。ユーザからＤＶＤ層の再生を行う旨の指令が入力されると（Ｓ２１０:Ｙ）、点灯レーザが赤色レーザに切り替えられ（Ｓ２０５）、ＤＶＤ層に対する再生が行われる（Ｓ２０６）。以下、上記と同様の処理が実行される。
【００５９】
Ｓ２０２にて選択メニューが表示された後、ユーザから、ＨＤＤＶＤ層の選択指示が入力されると（Ｓ２０４：ＨＤＤＶＤ）、青色レーザ光が点灯され（Ｓ２２０）、ＨＤＤＶＤ層の再生が行われる（Ｓ２２１）。このとき、ユーザからＤＶＤ層の再生指令が入力されると（Ｓ２２２：Ｙ）、点灯レーザが赤色レーザに切り替えられ（Ｓ２２３）、ＤＶＤ層に対する再生が行われる（Ｓ２２４）。この再生は、再度、ユーザから、ＨＤＤＶＤ層の再生を行う旨の指令が入力されるまで継続される。ユーザからＨＤＤＶＤ層の再生を行う旨の指令が入力されると（Ｓ２２５:Ｙ）、点灯レーザが青色レーザに切り替えられ（Ｓ２２０）、ＨＤＤＶＤ層に対する再生が行われる（Ｓ２２１）。以下、上記と同様の処理が実行される。
【００６０】
図６のフローチャートによれば、ユーザが自分の意思のもとに再生したい記録層を選択することができ、ユーザにおける選択の自由度を高めることができる。また、選択メニュー表示時の待機時間を利用してリードイン情報が取得されるため、記録層の切り替え毎にパラメータを最適化してリードイン情報を読む必要がないので、シーク時間も無く、処理の円滑化を図ることができる。よって、再生中に映像が停止する時間を短くすることができ、ユーザは快適にコンテンツを鑑賞することができる。
【００６１】
なお、図６のフローチャートでは、Ｓ２０２において、予めＡＶ処理回路１０８に保持されている選択メニュー表示用の画像情報が表示装置に出力される。これに代えて、ＤＶＤ層とＨＤＤＶＤ層のリードイン情報から各記録層のコンテンツメニューを取得し、各記録層のコンテンツメニューを画面上にそれぞれ表示し、ユーザの選択に供するようにしても良い。こうすると、ユーザは、ディスク構造を意識することなくコンテンツを選択することができる。ただし、この場合は、図６のＳ２０３は、Ｓ２０２よりも前に実行されなければならない。よって、この場合は、上記図６の処理フローチャートの効果の一つである、記録層選択時の待機時間を利用してリードイン情報を取得できるとの効果を奏し得なくなる。
【００６２】
なお、本発明は、記録層に適用される信号フォーマットを特に限定するものではなく、異なる信号フォーマットの記録層を複数有するハイブリッド型光ディスクに広く適用可能なものである。
【００６３】
以上、本発明の実施形態を説明したが、本発明は、上記実施の形態に限定されるものではなく、上記の他、種々の実施形態を採り得るものである。本発明の実施の形態は、特許請求の範囲に示された技術的思想の範囲内において、適宜、種々の変更が可能である。
【図面の簡単な説明】
【００６４】
【図１】実施の形態に係るハイブリッド型次世代ＤＶＤの構造を示す図
【図２】実施の形態に係るフォーカスエラー信号のＳカーブを説明する図
【図３】実施の形態に係る光ディスク装置の構成を示す図
【図４】実施の形態に係るディスク再生時の処理フローチャート
【図５】実施の形態に係るハイブリッド型次世代ＤＶＤ再生時の表示例
【図６】他の実施の形態に係るディスク再生時の処理フローチャート
【符号の説明】
【００６５】
１０１  光ピックアップ
１０２  信号生成回路
１０３  サーボ回路
１０４  レーザ駆動回路
１０５  復調回路
１０６  コントローラ
１０８  ＡＶ処理回路
【図１】
2007004950.tif 000003
【図２】
2007004950.tif 000004
【図３】
2007004950.tif 000005
【図４】
2007004950.tif 000006
【図５】
2007004950.tif 000007
【図６】
2007004950.tif 000008